(57)【要約】      （修正有）【課題】部材の交換に便利で作業時間コストを減少する、組立式マルチメディア多機能装置の提供。【解決手段】そのマルチメディア装置が表示インターフェース及びアクセスデバイスから構成され、そのうち、前記アクセスデバイスが殼体及び接続モジュールから構成され、前記殼体に第一コネクタ部及び嵌合槽が設けられ、前記嵌合槽に前記接続モジュールが嵌入され、前記接続モジュール上に挿入孔が設けられ、前記挿入孔が前記接続モジュールを抜き取るためのキーに対応し、前記接続モジュールを抜き取るとき、前記キーを前記接続モジュールの挿入孔に差し込むと、前記接続モジュールを前記殼体から抜き取ることができるよう構成され、交換に便利であると共に、作業時間コストを減少することが出来る。【選択図】図１
0003139451.tif 000002
【実用新案登録請求の範囲】
【請求項１】
組立式マルチメディア多機能装置であって、前記マルチメディア装置が写真のプリント及び多種類のマルチメディアサービスを使用者に提供し、且つ、多種類のアクセスインターフェースでマルチメディアデータを受け取ることができ、前記マルチメディア装置が表示インターフェース及びアクセスデバイスから構成され、そのうち、前記アクセスデバイスが殼体及び接続モジュールから構成され、前記殼体に第一コネクタ部及び嵌合槽が設けられ、前記嵌合槽に前記接続モジュールが嵌入され、前記接続モジュール上に挿入孔が設けられ、前記挿入孔が前記接続モジュールを抜き取るためのキーに対応し、前記接続モジュールを抜き取るとき、前記キーを前記接続モジュールの挿入孔に差し込むと、前記接続モジュールを前記殼体から抜き取ることができるよう構成したことを特徴とする、組立式マルチメディア多機能装置。       
【請求項２】
前記接続モジュールが回路板及びパネルから構成され、前記回路板上に第二コネクタ部、複数のメモリカードスロット及び拡張デバイスが設けられることを特徴とする、請求項１に記載の組立式マルチメディア多機能装置。       
【請求項３】
前記殼体と接続モジュールの相互接続が、前記殼体の第一コネクタ部と前記接続モジュールの第二コネクタ部を相互に接続することにより導通が達成され、データ伝送の目的を達することができることを特徴とする、請求項１に記載の組立式マルチメディア多機能装置。
【請求項４】
前記拡張デバイスに拡張部材を設置することができ、前記拡張部材を無線デバイス、プリンタポート、ブルートゥース（Ｂｌｕｅ−ｔｏｏｔｈ）、携帯メモリ及びクレジットカードカードリーダ等、データ伝送が可能な関連の拡張部材とすることができることを特徴とする、請求項２に記載の組立式マルチメディア多機能装置。       
【請求項５】
前記接続モジュールのメモリカードスロットが複数設置され、且つ、前記メモリカードスロットが、ＣＦカード（ＣｏｍｐａｃｔＦｌａｓｈ  Ｍｅｍｏｒｙ  Ｃａｒｄ）、ＭＳカード（ＭｅｍｏｒｙＳｔｉｃｋ  Ｍｅｍｏｒｙ  Ｃａｒｄ）、ＳＤカード（Ｓｅｃｕｒｅ  Ｄｉｇｉｔａｌ  Ｍｅｍｏｒｙ  Ｃａｒｄ）、ミニＳＤカード（Ｍｉｎｉ  Ｓｅｃｕｒｅ  Ｄｉｇｉｔａｌ  Ｍｅｍｏｒｙ  Ｃａｒｄ）、マイクロＳＤカード（Ｍｉｃｒｏ  Ｓｅｃｕｒｅ  Ｄｉｇｉｔａｌ  Ｍｅｍｏｒｙ  Ｃａｒｄ）、ＭＭＣカード（Ｍｕｌｔｉ  Ｍｅｄｉａ  Ｍｅｍｏｒｙ  Ｃａｒｄ）、ＲＳＭＭＣカード（Ｒｅｄｕｃｅｄ  Ｓｉｚｅ  Ｍｕｌｔｉ  Ｍｅｄｉａ  Ｍｅｍｏｒｙ  Ｃａｒｄ）、ＳＭカード（Ｓｍａｒｔ  Ｍｅｄｉａ（登録商標）  Ｍｅｍｏｒｙ  Ｃａｒｄ）、ＸＤカード（ｅＸｔｒｅｍｅ  Ｄｉｇｉｔａｌ  Ｐｉｃｔｕｒｅ  Ｍｅｍｏｒｙ  Ｃａｒｄ）、Ｍ２カード（ＭＳ  Ｍｉｃｒｏ  Ｃａｒｄ）、ＭＭＣマイクロカード（Ｍｕｌｔｉ  Ｍｅｄｉａ  Ｍｅｍｏｒｙ  Ｃａｒｄ  Ｍｉｃｒｏ）等、メモリカードスロットに挿入可能な読み取り媒体の使用に供されることを特徴とする、請求項２に記載の組立式マルチメディア多機能装置。
【請求項６】
前記パネルが前記メモリカードスロットに対応する複数の挿入スロット及び前記メモリカードスロットと相互に対応する複数の表示ランプを備えていることを特徴とする、請求項２に記載の組立式マルチメディア多機能装置。     
【請求項７】
前記アクセスデバイスがさらに、３.５インチ、５.２５インチ及び複数の規格の寸法に設けることができ、且つ、デスクトップコンピュータ、ノートブックコンピュータ等の関連デバイスに応用されることを特徴とする、請求項１に記載の組立式マルチメディア多機能装置。
【考案の詳細な説明】
【技術分野】
【０００１】
本考案は組立式マルチメディア多機能装置に関し、そのアクセスデバイスが殼体及び接続モジュールから構成され、アクセスデバイスが故障した場合は、接続モジュールをアクセスデバイスから取り出し、良品の接続モジュールに交換するだけでよく、これにより、交換に便利で作業時間コストを減少するという目的を達することができる、組立式マルチメディア多機能装置に関する。
【背景技術】
【０００２】
本出願人が先に出願した案に出願番号９１２０４０６４のアダプタ装置があるが、その接続装置はアダプタケースに挿入した後接続端子を嵌入させて結合され、この接続装置をアダプタケースに対して着脱可能にすることで、接続装置を迅速に取り出せるようにしたものであるが、そのうち、接続装置をアダプタケース内に挿入した後、接続装置をアダプタケース内に完全に収容することができず、接続装置とアダプタケースが一体を成すようにできないことに加え、他人に抜き取られて持ち去られやすいという欠点があり、このため使用者にとって不便である。
【非特許文献１】台湾実用新案登録出願番号９１２０４０６４
【０００３】
また、一般的な従来のマルチメディア装置は、マルチメディア装置のアクセスデバイスがマルチメディア装置内に嵌設されており、アクセスデバイスが故障した場合、マルチメディア装置全体を分解して修理しなければならず、このため、使用者にとって面倒であり、コストの無駄を招く。
【０００４】
さらに、一般的な従来のマルチメディア装置は、読み取り媒体を挿入するためのメモリカードスロットが単一の規格となっており、使用者が別の規格の読み取り媒体を使用したいとき、その内部に挿入することができず、且つ、メモリカードスロットは比較的大容量の読み取り媒体の読み出しをサポートしておらず、また、マルチメディア装置そのものの設計に制限され、別途伝送インターフェースを拡張することはできないため、使用者にとって不便であり、またマルチメディア装置の互換性が低く、その製作コストも高い。
【０００５】
このため、いかに上述の問題を排除するかが、本考案が解決する技術的問題点である。
【考案の開示】
【考案が解決しようとする課題】
【０００６】
本考案の目的は、組立式マルチメディア多機能装置のアクセスデバイスが殼体及び接続モジュールから構成され、アクセスデバイスが故障した場合は、接続モジュールをアクセスデバイスから取り出し、良品の接続モジュールに交換するだけでよく、これにより、交換に便利で作業時間コストを減少するという目的を達することができる、組立式マルチメディア多機能装置      
【課題を解決するための手段】
【０００７】
本考案の組立式マルチメディア多機能装置は、そのマルチメディア装置が表示インターフェース及びアクセスデバイスから構成され、そのうち、前記アクセスデバイスが殼体及び接続モジュールから構成され、前記殼体に第一コネクタ部及び嵌合槽が設けられ、前記嵌合槽に前記接続モジュールが嵌入され、前記接続モジュール上に挿入孔が設けられ、前記挿入孔が前記接続モジュールを抜き取るためのキーに対応し、前記接続モジュールを抜き取るとき、前記キーを前記接続モジュールの挿入孔に差し込むと、前記接続モジュールを前記殼体から抜き取ることができるよう構成したことを特徴とする。
【考案の効果】
【０００８】
本考案の進歩性と実用性をよりはっきりと示すため、以下従来品と比較して分析する。
《従来品の欠点》
一、  接続装置がアダプタケースと一体を成すことができず、且つ、他人に抜き取られ、持ち去られやすい。
二、  アクセスデバイスがマルチメディア装置内部に嵌設されている。
三、  第二点を受け、修理や交換に不便である。
四、  マルチメディア装置そのものの設計に制限され、別途伝送インターフェースを拡張することはできない。
五、  使用者にとって面倒であり、且つ製造コストが高く、マルチメディア装置の互換性が低い。
《本考案の利点》
一、  接続モジュール全体が殼体内に挿入され、一体を成した形態を呈する。
二、  第一点を受け、キーで接続モジュールを直接抜き取ることができる。
三、  第一点を受け、使用者が便利に接続モジュールを交換することができる。
四、  多種類の異なる規格のメモリカードスロットを備えている。
五、  第四点を受け、多種類の規格の読み取り媒体を便利に挿入して使用することができる。
六、  接続モジュール上の拡張デバイスにより、伝送インターフェース拡張の目的を達することができる。
七、  第六点を受け、アクセスデバイスの互換性を向上することができる。
八、  使用者が便利に操作でき、コストと作業時間節約という目的を達することができる。
九、  進歩性と実用性を備えている。
十、  産業的競争力が向上される。  
【考案を実施するための最良の形態】
【０００９】
以下、本考案について図面、符号及び実施例に基づき詳細に説明する。本考案の組立式マルチメディア多機能装置は、図１及び図２に示すように、マルチメディア装置Ａが表示インターフェースＡ１及びアクセスデバイスＢから構成される。
【００１０】
前記マルチメディア装置ＡのアクセスデバイスＢは殼体Ｃ及び接続モジュールＤから構成され、そのうち、アクセスデバイスＢがマルチメディア装置Ａ内に嵌合され、またアクセスデバイスＢの殼体Ｃ上に第一コネクタ部Ｃ１及び嵌合槽Ｃ２が設けられ、且つ、殼体Ｃの第一コネクタ部Ｃ１が接続モジュールＤの第二コネクタ部Ｆ１と相互に接続されて導通される。
【００１１】
そのうち、アクセスデバイスＢの接続モジュールＤはパネルＥ及び回路板Ｆから構成され、また、接続モジュールＤの回路板Ｆ上に第二コネクタ部Ｆ１、複数の拡張デバイスＦ２、メモリカードスロットＦ３及び表示ランプＦ４が設置され、且つ、接続モジュールＤのパネルＥはメモリカードスロットＦ３に対応する複数の挿入スロットＥ１が設けられ、且つ、パネルＥの一箇所にキーを差し込むための挿入孔Ｅ２が形成される。
【００１２】
アクセスデバイスＢのメモリカードスロットＦ３は複数の異なる規格とし、且つ、アクセスデバイスＢに複数の表示ランプＦ４が設けられ、アクセスデバイスＢの複数の表示ランプＦ４はアクセスデバイスＢの異なる規格の複数のメモリカードスロットＦ３に対応するよう構成する。
【００１３】
本考案の実施方式により提供される組立式マルチメディア多機能装置は、図２から図８に示すように、前記マルチメディア装置ＡにアクセスデバイスＢが設けられ、そのうち、アクセスデバイスＢの殼体Ｃに接続モジュールＤが嵌合される。アクセスデバイスＢが故障したときは、キーＧをパネルＥの挿入孔Ｅ２に差込むと、アクセスデバイスＢの接続モジュールＤをアクセスデバイスＢの嵌合槽Ｃ２から直接抜き取ることができ、このとき、回路板Ｆの第二コネクタ部Ｆ１が殼体Ｃの第一コネクタ部Ｃ１から分離され、その後良品の接続モジュールＤに交換することができる。これにより、使用者が便利にアクセスデバイスＢの交換を行うことができ、且つ、作業時間の節約という目的を達することができる。
【００１４】
使用者が使用するとき、使用者は読み取り媒体ＨをメモリカードスロットＦ３内に先に挿入する必要はなく、マルチメディア装置Ａの表示インターフェースＡ１で必要な読み取り媒体Ｈの規格を選択すると、同時に使用者が選択した読み取り媒体Ｈの規格の表示ランプＦ４が点灯し、このとき、読み取り媒体Ｈを表示ランプＦ４に対応するメモリカードスロットＦ３内に挿入すればよく、これにより、伝送する必要があるデータをマルチメディア装置Ａ上に伝送し、さらにマルチメディア装置Ａの表示インターフェースＡ１を介して使用者が必要とするマルチメディアサービスを操作することができる。
【００１５】
そのうち、前記接続モジュールＤの拡張デバイスＦ２は複数とし、且つ、拡張デバイスＦ２に別途拡張部材Ｉを設け、これにより、伝送インターフェース拡張の目的を達することができる。そのうち、拡張部材Ｉは、無線デバイス、プリンタポート、ブルートゥース（Ｂｌｕｅ−ｔｏｏｔｈ）、携帯メモリ及びクレジットカードカードリーダ等のデータ伝送可能な関連の拡張部材Ｉとすることができる。
【００１６】
そのうち、アクセスデバイスＢは複数の規格のメモリカードスロットＦ３が設けられ、このアクセスデバイスＢのメモリカードスロットＦ３は多種類の規格の読み取り媒体Ｈを挿入して使用することができる。そのうち、読み取り媒体Ｈは、ＣＦカード（ＣｏｍｐａｃｔＦｌａｓｈ  Ｍｅｍｏｒｙ  Ｃａｒｄ）、ＭＳカード（ＭｅｍｏｒｙＳｔｉｃｋ  Ｍｅｍｏｒｙ  Ｃａｒｄ）、ＳＤカード（Ｓｅｃｕｒｅ  Ｄｉｇｉｔａｌ  Ｍｅｍｏｒｙ  Ｃａｒｄ）、ミニＳＤカード（Ｍｉｎｉ  Ｓｅｃｕｒｅ  Ｄｉｇｉｔａｌ  Ｍｅｍｏｒｙ  Ｃａｒｄ）、マイクロＳＤカード（Ｍｉｃｒｏ  Ｓｅｃｕｒｅ  Ｄｉｇｉｔａｌ  Ｍｅｍｏｒｙ  Ｃａｒｄ）、ＭＭＣカード（Ｍｕｌｔｉ  Ｍｅｄｉａ  Ｍｅｍｏｒｙ  Ｃａｒｄ）、ＲＳＭＭＣカード（Ｒｅｄｕｃｅｄ  Ｓｉｚｅ  Ｍｕｌｔｉ  Ｍｅｄｉａ  Ｍｅｍｏｒｙ  Ｃａｒｄ）、ＳＭカード（Ｓｍａｒｔ  Ｍｅｄｉａ（登録商標）  Ｍｅｍｏｒｙ  Ｃａｒｄ）、ＸＤカード（ｅＸｔｒｅｍｅ  Ｄｉｇｉｔａｌ  Ｐｉｃｔｕｒｅ  Ｍｅｍｏｒｙ  Ｃａｒｄ）、Ｍ２カード（ＭＳ  Ｍｉｃｒｏ  Ｃａｒｄ）、ＭＭＣマイクロカード（Ｍｕｌｔｉ  Ｍｅｄｉａ  Ｍｅｍｏｒｙ  Ｃａｒｄ  Ｍｉｃｒｏ）とすることができ、これにより、多種類の規格の読み取り媒体Ｈを挿入して使用するのに便利である。
【００１７】
前記アクセスデバイスＢは複数の表示ランプＦ４が設けられ、且つ、このアクセスデバイスＢの表示ランプＦ４はそれぞれアクセスデバイスＢのメモリカードスロットＦ３に対応しており、これにより、アクセスデバイスＢのメモリカードスロットＦ３に読み取り媒体Ｈが挿入されると、アクセスデバイスＢの表示ランプＦ４が点灯するため、読み取り媒体ＨがアクセスデバイスＢと導通されているか否かを判別することができる。
【００１８】
アクセスデバイスＢはさらに３.５インチ、５.２５インチ及び複数の規格の寸法とすることができ、且つ、デスクトップコンピュータ、ノートブックコンピュータ等の関連装置に応用することができる。
【００１９】
以上で述べた説明は、本考案の最良の実施例に基づくものであり、本考案の特許範囲を制限するものではなく、本考案の明細書及び図面の内容を運用した同等効果を持つ構造を直接的または間接的にその他関連技術領域に応用したものはすべて、本考案の要旨の範囲内に含まれるものと見なす。
【００２０】
上述をまとめると、本考案は先行技術を打破する構造の下、確実にその増進を図る効果を達することができ、且つ、関連技術を熟知した人物が容易に思い付くものではなく、さらに、本考案はその出願前に公開されたことがなく、その進歩性及び実用性は実用新案登録出願の要件を満たしているため、法に基づきここに実用新案登録を出願するものである。
【図面の簡単な説明】
【００２１】
【図１】本考案の立体図である。
【図２】本考案の立体分解図である。
【図３】本考案の実施例図一である。
【図４】本考案の実施例図二である。
【図５】本考案の実施例図三である。
【図６】本考案の実施例図四である。
【図７】本考案の実施例図五である。
【図８】本考案の実施例図六である。
【符号の説明】
【００２２】
Ａ        マルチメディア装置
Ａ１      表示インターフェース
Ｂ        アクセスデバイス
Ｃ        殼体
Ｃ１      第一コネクタ部
Ｃ２      嵌合槽
Ｄ        接続モジュール
Ｅ        パネル
Ｅ１      挿入スロット
Ｅ２      挿入孔
Ｆ        回路板
Ｆ１      第二コネクタ部
Ｆ２      拡張デバイス
Ｆ３      メモリカードスロット
Ｆ４      表示ランプ
Ｇ        キー
Ｈ        読み取り媒体
Ｉ        拡張部材
【図１】
0003139451.tif 000003
【図２】
0003139451.tif 000004
【図３】
0003139451.tif 000005
【図４】
0003139451.tif 000006
【図５】
0003139451.tif 000007
【図６】
0003139451.tif 000008
【図７】
0003139451.tif 000009
【図８】
0003139451.tif 000010
【手続補正書】
【提出日】平成19年11月21日(2007.11.21)
【手続補正１】
【補正対象書類名】実用新案登録請求の範囲
【補正対象項目名】全文
【補正方法】変更
【補正の内容】
【実用新案登録請求の範囲】
【請求項１】
組立式マルチメディア多機能装置であって、前記マルチメディア装置が写真のプリント及び多種類のマルチメディアサービスを使用者に提供し、且つ、多種類のアクセスインターフェースでマルチメディアデータを受け取ることができ、前記マルチメディア装置が表示インターフェース及びアクセスデバイスから構成され、そのうち、前記アクセスデバイスが殼体及び接続モジュールから構成され、前記殼体に第一コネクタ部及び嵌合槽が設けられ、前記嵌合槽に前記接続モジュールが嵌入され、前記接続モジュール上に挿入孔が設けられ、前記挿入孔が前記接続モジュールを抜き取るためのキーに対応し、前記接続モジュールを抜き取るとき、前記キーを前記接続モジュールの挿入孔に差し込むと、前記接続モジュールを前記殼体から抜き取ることができるよう構成したことを特徴とする、組立式マルチメディア多機能装置。       
【請求項２】
前記接続モジュールが回路板及びパネルから構成され、前記回路板上に第二コネクタ部、複数のメモリカードスロット及び拡張デバイスが設けられることを特徴とする、請求項１に記載の組立式マルチメディア多機能装置。       
【請求項３】
前記殼体と接続モジュールの相互接続が、前記殼体の第一コネクタ部と前記接続モジュールの第二コネクタ部を相互に接続することにより導通が達成され、データ伝送の目的を達することができることを特徴とする、請求項１に記載の組立式マルチメディア多機能装置。
【請求項４】
前記拡張デバイスに拡張部材を設置することができ、前記拡張部材を無線デバイス、プリンタポート、ブルートゥース（Ｂｌｕｅ−ｔｏｏｔｈ）、携帯メモリ及びクレジットカードカードリーダ等、データ伝送が可能な関連の拡張部材とすることができることを特徴とする、請求項２に記載の組立式マルチメディア多機能装置。       
【請求項５】
前記接続モジュールのメモリカードスロットが複数設置され、且つ、前記メモリカードスロットが、ＣＦカード（ＣｏｍｐａｃｔＦｌａｓｈ（登録商標）  Ｍｅｍｏｒｙ  Ｃａｒｄ）、ＭＳカード（ＭｅｍｏｒｙＳｔｉｃｋ（登録商標）  Ｍｅｍｏｒｙ  Ｃａｒｄ）、ＳＤカード（Ｓｅｃｕｒｅ  Ｄｉｇｉｔａｌ  Ｍｅｍｏｒｙ  Ｃａｒｄ）、ミニＳＤカード（Ｍｉｎｉ  Ｓｅｃｕｒｅ  Ｄｉｇｉｔａｌ  Ｍｅｍｏｒｙ  Ｃａｒｄ）、マイクロＳＤカード（Ｍｉｃｒｏ  Ｓｅｃｕｒｅ  Ｄｉｇｉｔａｌ  Ｍｅｍｏｒｙ  Ｃａｒｄ）、ＭＭＣカード（Ｍｕｌｔｉ  Ｍｅｄｉａ  Ｍｅｍｏｒｙ  Ｃａｒｄ）、ＲＳＭＭＣカード（Ｒｅｄｕｃｅｄ  Ｓｉｚｅ  Ｍｕｌｔｉ  Ｍｅｄｉａ  Ｍｅｍｏｒｙ  Ｃａｒｄ）、ＳＭカード（Ｓｍａｒｔ  Ｍｅｄｉａ（登録商標）  Ｍｅｍｏｒｙ  Ｃａｒｄ）、ＸＤカード（ｅＸｔｒｅｍｅ  Ｄｉｇｉｔａｌ  Ｐｉｃｔｕｒｅ  Ｍｅｍｏｒｙ  Ｃａｒｄ）、Ｍ２カード（ＭＳ  Ｍｉｃｒｏ  Ｃａｒｄ）、ＭＭＣマイクロカード（Ｍｕｌｔｉ  Ｍｅｄｉａ  Ｍｅｍｏｒｙ  Ｃａｒｄ  Ｍｉｃｒｏ）等、メモリカードスロットに挿入可能な読み取り媒体の使用に供されることを特徴とする、請求項２に記載の組立式マルチメディア多機能装置。
【請求項６】
前記パネルが前記メモリカードスロットに対応する複数の挿入スロット及び前記メモリカードスロットと相互に対応する複数の表示ランプを備えていることを特徴とする、請求項２に記載の組立式マルチメディア多機能装置。     
【請求項７】
前記アクセスデバイスがさらに、３.５インチ、５.２５インチ及び複数の規格の寸法に設けることができ、且つ、デスクトップコンピュータ、ノートブックコンピュータ等の関連デバイスに応用されることを特徴とする、請求項１に記載の組立式マルチメディア多機能装置。
【手続補正２】
【補正対象書類名】明細書
【補正対象項目名】００１６
【補正方法】変更
【補正の内容】
【００１６】
そのうち、アクセスデバイスＢは複数の規格のメモリカードスロットＦ３が設けられ、このアクセスデバイスＢのメモリカードスロットＦ３は多種類の規格の読み取り媒体Ｈを挿入して使用することができる。そのうち、読み取り媒体Ｈは、ＣＦカード（ＣｏｍｐａｃｔＦｌａｓｈ（登録商標）  Ｍｅｍｏｒｙ  Ｃａｒｄ）、ＭＳカード（ＭｅｍｏｒｙＳｔｉｃｋ（登録商標）  Ｍｅｍｏｒｙ  Ｃａｒｄ）、ＳＤカード（Ｓｅｃｕｒｅ  Ｄｉｇｉｔａｌ  Ｍｅｍｏｒｙ  Ｃａｒｄ）、ミニＳＤカード（Ｍｉｎｉ  Ｓｅｃｕｒｅ  Ｄｉｇｉｔａｌ  Ｍｅｍｏｒｙ  Ｃａｒｄ）、マイクロＳＤカード（Ｍｉｃｒｏ  Ｓｅｃｕｒｅ  Ｄｉｇｉｔａｌ  Ｍｅｍｏｒｙ  Ｃａｒｄ）、ＭＭＣカード（Ｍｕｌｔｉ  Ｍｅｄｉａ  Ｍｅｍｏｒｙ  Ｃａｒｄ）、ＲＳＭＭＣカード（Ｒｅｄｕｃｅｄ  Ｓｉｚｅ  Ｍｕｌｔｉ  Ｍｅｄｉａ  Ｍｅｍｏｒｙ  Ｃａｒｄ）、ＳＭカード（Ｓｍａｒｔ  Ｍｅｄｉａ（登録商標）  Ｍｅｍｏｒｙ  Ｃａｒｄ）、ＸＤカード（ｅＸｔｒｅｍｅ  Ｄｉｇｉｔａｌ  Ｐｉｃｔｕｒｅ  Ｍｅｍｏｒｙ  Ｃａｒｄ）、Ｍ２カード（ＭＳ  Ｍｉｃｒｏ  Ｃａｒｄ）、ＭＭＣマイクロカード（Ｍｕｌｔｉ  Ｍｅｄｉａ  Ｍｅｍｏｒｙ  Ｃａｒｄ  Ｍｉｃｒｏ）とすることができ、これにより、多種類の規格の読み取り媒体Ｈを挿入して使用するのに便利である。